(57)【要約】【課題】画像の下地の判別を高精度で高速に行う。【解決手段】画像処理部は、ＹＣｂＣｒ成分の画像データのうちＹ成分の画像データに基づいて、当該画像データに含まれる各画素の画素値において出現頻度が最大となる第１の画素値を検出し、この第１の画素値を有する画素を判別する。続いて、画像処理部は、ＹＣｂＣｒ成分の画像データのうちＣｂＣｒ成分の画像データに基づいて、当該画像データに含まれる上述にて判別された画素の画素値において出現頻度が最大となる第２の画素値を検出し、この第２の画素値を有する画素部分を画像の下地として判別する。【選択図】図３
2010187270.tif 000002
【特許請求の範囲】
【請求項１】
複数の色成分の画像データのうち予め決められた色成分の画像データに基づいて、当該画像データに含まれる各画素の画素値において予め決められた第１の下地色条件を満たす第１の画素値を検出する第１の画素値検出手段と、
前記予め決められた色成分の画像データに基づいて、前記第１の画素値検出手段によって検出された第１の画素値を有する画素を判別する画素判別手段と、
前記複数の色成分の画像データのうち前記予め決められた色成分以外の色成分の画像データに基づいて、当該画像データに含まれる前記画素判別手段によって判別された画素の画素値において予め決められた第２の下地色条件を満たす第２の画素値を検出する第２の画素値検出手段と、
前記第２の画素値検出手段によって検出された第２の画素値を有する画素部分を前記画像データが表す画像の下地として判別する下地判別手段と
を備えることを特徴とする画像処理装置。
【請求項２】
前記予め決められた色成分は、画像の明るさを表す色成分である
ことを特徴とする請求項１に記載の画像処理装置。
【請求項３】
前記第１の画素値検出手段は、輝度色差系の色空間によって表現される画像データのうち輝度成分の画像データに基づいて、前記第１の画素値を検出し、
前記第２の画素値検出手段は、前記輝度色差系の色空間によって表現される画像データのうち色差成分の画像データに基づいて、前記第２の画素値を検出する
ことを特徴とする請求項２に記載の画像処理装置。
【請求項４】
前記第１の画素値検出手段は、ＲＧＢ色空間によって表現される画像データのうち緑成分の画像データに基づいて、前記第１の画素値を検出し、
前記第２の画素値検出手段は、前記ＲＧＢ色空間によって表現される画像データのうち赤成分又は青成分の画像データに基づいて、前記第２の画素値を検出する
ことを特徴とする請求項２に記載の画像処理装置。
【請求項５】
前記画像データの色空間を前記第１の画素値検出手段が扱う前記輝度色差系の色空間又は前記ＲＧＢ色空間に変換する色空間変換手段を備える
ことを特徴とする請求項３又は４に記載の画像処理装置。
【請求項６】
前記画像データの解像度を低解像度に変換する第１の解像度変換手段を備え、
前記第１の画素値検出手段は、前記第１の解像度変換手段によって低解像度に変換された画像データに基づいて、前記第１の画素値を検出する
ことを特徴とする請求項１〜５のいずれか１項に記載の画像処理装置。
【請求項７】
前記第１の画素値検出手段は、或る解像度の画像データに基づいて、前記第１の画素値を検出し、
前記画像データの解像度を前記或る解像度よりも低解像度に変換する第２の解像度変換手段を備え、
前記第２の画素値検出手段は、前記第２の解像度変換手段によって低解像度に変換された画像データに基づいて、前記第２の画素値を検出する
ことを特徴とする請求項１〜６のいずれか１項に記載の画像処理装置。
【請求項８】
前記解像度変換手段は、単純間引きによって解像度の変換を行う
ことを特徴とする請求項６又は７に記載の画像処理装置。
【請求項９】
画像を読み取り、当該画像に応じた前記複数の色成分の画像データを生成する読取手段と、
請求項１〜８のいずれか１項に記載の画像処理装置と
を備えることを特徴とする画像読取装置。
【請求項１０】
画像を読み取り、当該画像に応じた前記複数の色成分の画像データを生成する読取手段と、
請求項１〜８のいずれか１項に記載の画像処理装置と、
前記画像処理装置によって処理が施された画像データに応じた画像を記録材に形成する画像形成手段と
を備えることを特徴とする画像形成装置。
【発明の詳細な説明】
【技術分野】
【０００１】
本発明は、画像処理装置、画像読取装置及び画像形成装置に関する。
【背景技術】
【０００２】
カラー画像から下地色を検出する技術が知られている。例えば、特許文献１には、カラー画像を表すＲＧＢ値のうち、少なくとも２色の組み合わせのヒストグラムを作成し、ＲＧＢ値の最頻値によって下地色を検出する技術が開示されている。また、特許文献２には、カラー画像を複数の区画に分割して各々の代表色を抽出し、分割した区画のうち非エッジ区画について代表色が類似しているものを連結して、広さが最大となる非エッジ区画の代表色を代表背景色とする技術が開示されている。
【先行技術文献】
【特許文献】
【０００３】
【特許文献１】特開平０５−０６３９６８号公報
【特許文献２】特開２０００−０９９７０１号公報
【発明の概要】
【発明が解決しようとする課題】
【０００４】
本発明は、画像の下地の判別を高精度で高速に行うことを目的とする。
【課題を解決するための手段】
【０００５】
本発明の請求項１に係る画像処理装置は、複数の色成分の画像データのうち予め決められた色成分の画像データに基づいて、当該画像データに含まれる各画素の画素値において予め決められた第１の下地色条件を満たす第１の画素値を検出する第１の画素値検出手段と、前記予め決められた色成分の画像データに基づいて、前記第１の画素値検出手段によって検出された第１の画素値を有する画素を判別する画素判別手段と、前記複数の色成分の画像データのうち前記予め決められた色成分以外の色成分の画像データに基づいて、当該画像データに含まれる前記画素判別手段によって判別された画素の画素値において予め決められた第２の下地色条件を満たす第２の画素値を検出する第２の画素値検出手段と、前記第２の画素値検出手段によって検出された第２の画素値を有する画素部分を前記画像データが表す画像の下地として判別する下地判別手段とを備えることを特徴とする。
【０００６】
本発明の請求項２に係る画像処理装置は、請求項１に記載の構成において、前記予め決められた色成分は、画像の明るさを表す色成分であることを特徴とする。
【０００７】
本発明の請求項３に係る画像処理装置は、請求項２に記載の構成において、前記第１の画素値検出手段は、輝度色差系の色空間によって表現される画像データのうち輝度成分の画像データに基づいて、前記第１の画素値を検出し、前記第２の画素値検出手段は、前記輝度色差系の色空間によって表現される画像データのうち色差成分の画像データに基づいて、前記第２の画素値を検出することを特徴とする。
【０００８】
本発明の請求項４に係る画像処理装置は、請求項２に記載の構成において、前記第１の画素値検出手段は、ＲＧＢ色空間によって表現される画像データのうち緑成分の画像データに基づいて、前記第１の画素値を検出し、前記第２の画素値検出手段は、前記ＲＧＢ色空間によって表現される画像データのうち赤成分又は青成分の画像データに基づいて、前記第２の画素値を検出することを特徴とする。
【０００９】
本発明の請求項５に係る画像処理装置は、請求項３又は４に記載の構成において、前記画像データの色空間を前記第１の画素値検出手段が扱う前記輝度色差系の色空間又は前記ＲＧＢ色空間に変換する色空間変換手段を備えることを特徴とする。
【００１０】
本発明の請求項６に係る画像処理装置は、請求項１〜５のいずれか１項に記載の構成において、前記画像データの解像度を低解像度に変換する第１の解像度変換手段を備え、前記第１の画素値検出手段は、前記第１の解像度変換手段によって低解像度に変換された画像データに基づいて、前記第１の画素値を検出することを特徴とする。
【００１１】
本発明の請求項７に係る画像処理装置は、請求項１〜６のいずれか１項に記載の構成において、前記第１の画素値検出手段は、或る解像度の画像データに基づいて、前記第１の画素値を検出し、
前記画像データの解像度を前記或る解像度よりも低解像度に変換する第２の解像度変換手段を備え、前記第２の画素値検出手段は、前記第２の解像度変換手段によって低解像度に変換された画像データに基づいて、前記第２の画素値を検出することを特徴とする。
【００１２】
本発明の請求項８に係る画像処理装置は、請求項６又は７に記載の構成において、前記解像度変換手段は、単純間引きによって解像度の変換を行うことを特徴とする。
【００１３】
本願の請求項９に係る画像読取装置は、画像を読み取り、当該画像に応じた前記複数の色成分の画像データを生成する読取手段と、請求項１〜８のいずれか１項に記載の画像処理装置とを備えることを特徴とする。
【００１４】
本願の請求項１０に係る画像形成装置は、画像を読み取り、当該画像に応じた前記複数の色成分の画像データを生成する読取手段と、請求項１〜８のいずれか１項に記載の画像処理装置と、前記画像処理装置によって処理が施された画像データに応じた画像を記録材に形成する画像形成手段とを備えることを特徴とする。
【発明の効果】
【００１５】
請求項１に係る発明によれば、本発明の構成を採用しない場合と比較して、画像の下地の判別を高精度で高速に行うことができる。
請求項２に係る発明によれば、本発明の構成を採用しない場合と比較して、画像の下地の判別をより高精度に行うことができる。
請求項３に係る発明によれば、輝度色差系の色空間によって表現される画像データを用いて、画像の下地の判別を行うことができる。
請求項４に係る発明によれば、ＲＧＢ色空間によって表現される画像データを用いて、画像の下地の判別を行うことができる。
請求項５に係る発明によれば、画像の下地の判別において扱われる色空間と異なる色空間の画像データが供給された場合にも、画像の下地の判別を行うことができる。
請求項６に係る発明によれば、本発明の構成を採用しない場合と比較して、画像の下地の判別をより高速に行うことができる。
請求項７に係る発明によれば、本発明の構成を採用しない場合と比較して、画像の下地の判別をより高速に行うことができる。
請求項８に係る発明によれば、画像データの解像度の変換により、画像の下地の判別の精度が低下することを抑制することができる。
請求項９に係る発明によれば、本発明の構成を採用しない場合と比較して、画像の下地の判別を高精度で高速に行うことができる。
請求項１０に係る発明によれば、本発明の構成を採用しない場合と比較して、画像の下地の判別を高精度で高速に行うことができる。
【図面の簡単な説明】
【００１６】
【図１】実施形態に係る画像形成装置の構成を示すブロック図である。
【図２】上記画像形成装置の画像処理部の機能構成を示すブロック図である。
【図３】上記画像形成装置の下地検出処理を示す図である。
【図４】Ｙ成分のヒストグラムを示す図である。
【図５】Ｃｂ成分，Ｃｒ成分のヒストグラムを示す図である。
【発明を実施するための形態】
【００１７】
［構成］
図１は、本実施形態に係る画像形成装置１の構成を示すブロック図である。同図に示すように、画像形成装置１は、制御部１１と、通信部１２と、記憶部１３と、表示操作部１４と、画像読取部１５と、画像処理部１６と、画像形成部１７とを備えている。制御部１１は、ＣＰＵ(Central Processing Unit)とメモリなどを備えており、ＣＰＵがメモリ又は記憶部１３に記憶されているプログラムを実行することにより、画像形成装置１の各部を制御する。通信部１２は、通信回線を介して接続された外部装置との通信を確立し、データの送受信を行う。記憶部１３は、例えばハードディスクであり、各種のデータを記憶する。表示操作部１４は、例えばタッチパネルであり、制御部１１の制御に応じた画像を表示するとともに、操作者の操作を受け付ける。画像読取部１５は、例えばスキャナ装置であり、用紙の画像を読み取って、その画像に応じたＲ（赤）Ｇ（緑）Ｂ（青）成分の画像データを生成する読取手段である。画像処理部１６は、画像読取部１５によって生成された画像データ、又は通信部１２によって受信された画像データに対して、各種の画像処理を施す。画像形成部１７は、例えば電子写真方式で画像を形成するプリンター装置であり、画像処理部１６によって処理が施された画像データに応じた画像を用紙に形成する画像形成手段である。
【００１８】
次に、画像処理部１６の機能構成について説明する。図２は、画像処理部１６の機能構成を示す図である。同図に示すように、画像処理部１６は、機能構成として、色空間変換部１０１と、第１の画素値検出部１０２と、画素判別部１０３と、第２の画素値検出部１０４と、下地判別部１０５とを備えている。色空間変換部１０１は、画像データの色空間を第１の画素値検出部１０２が扱うＹ（輝度）ＣｂＣｒ（色差）色空間に変換する色空間変換手段である。このＹＣｂＣｒ色空間は、輝度色差系の色空間である。第１の画素値検出部１０２は、ＹＣｂＣｒ成分の画像データのうちＹ成分の画像データに基づいて、当該画像データに含まれる各画素の画素値において予め決められた第１の下地色条件を満たす第１の画素値を検出する第１の画素値検出手段である。この第１の画素値は、第１の下地値として用いられる。画素判別部１０３は、Ｙ成分の画像データに基づいて、第１の画素値検出部１０２によって検出された第１の画素値を有する画素を判別する画素判別手段である。第２の画素値検出部１０４は、ＹＣｂＣｒ成分の画像データのうちＣｂＣｒ成分の画像データに基づいて、当該画像データに含まれる画素判別部１０３によって判別された画素の画素値において予め決められた第２の下地色条件を満たす第２の画素値を検出する第２の画素値検出手段である。この第２の画素値は、第２の下地値として用いられる。下地判別部１０５は、第２の画素値検出部１０４によって検出された第２の画素値を有する画素部分を画像の下地として判別する下地判別手段である。
【００１９】
［動作］
次に、本実施形態に係る画像形成装置１の動作について説明する。画像形成装置１では、画像読取部１５によって読み取られた画像の下地部分を検出する下地検出処理が行なわれる。以下の説明では、この下地検出処理について説明する。図３は、下地検出処理を示す図である。ここでは、画像読取部１５によって図中の原画像Ｐ０が読み取られた場合を想定する。図に示すように、この原画像Ｐ０は、画像が形成されていない白色の下地領域ＢＧと、赤色の図形画像が形成された赤色領域Ｆａと、黄色の図形画像が形成された黄色領域Ｆｂと、緑色の図形画像が形成された緑色領域Ｆｃとによって構成されている。下地領域ＢＧは、画像の背景となる領域であり、最大の画素数を有している。
【００２０】
画像読取部１５によって原画像Ｐ０が読み取られ、原画像Ｐ０に応じたＲＧＢ成分の画像データが生成されると、生成されたＲＧＢ成分の画像データが画像処理部１６に入力される。ＲＧＢ成分の画像データが入力されると、画像処理部１６は、この画像データの色空間をＹＣｂＣｒ色空間に変換する（ステップＳ１）。続いて、画像処理部１６は、Ｙ成分の画像データに含まれる各画素の画素値に基づいて、第１の下地値を検出する（ステップＳ２）。具体的に説明すると、画像処理部１６は、まずＹ成分の画像データの画素値を用いて、Ｙ成分のヒストグラムＨｙを作成する。図４は、このときに作成されるヒストグラムＨｙの一例を示す図である。同図に示すように、このヒストグラムＨｙにおいては、画素値ｋ１部分にピークがある。これは、原画像Ｐ０においては、下地領域ＢＧのＹ成分の画素値と黄色領域ＦｂのＹ成分の画素値とが、いずれも画素値ｋ１付近の値をとるからである。この場合、画像処理部１６は、この画素値ｋ１から予め決められた範囲を第１の下地値として検出する。つまり、第１の下地値は、範囲を有する値となる。
【００２１】
続いて、画像処理部１６は、画像データの各画素を第１の下地値で２値化する（図３のステップＳ３）。具体的には、画像処理部１６は、画像データの各画素について、Ｙ成分の画素値が第１の下地値に含まれるか否かを判定し、第１の下地値に含まれる場合にはその画素をオフにし、第１の下地値に含まれない場合にはその画素をオンにする。つまり、画像処理部１６は、Ｙ成分の画像データに基づいて、上述したステップＳ２にて検出された第１の下地値を有する画素を判別する。この例では、図に示す２値化画像Ｐ１のように、下地領域ＢＧの画素と黄色領域Ｆｂの画素については、Ｙ成分の画素値が第１の下地値に含まれるためオフになり、赤色領域Ｆａの画素と緑色領域Ｆｃの画素については、Ｙ成分の画素値が第１の下地値に含まれないためオンになる。
【００２２】
続いて、画像処理部１６は、ＣｂＣｒ成分の画像データに含まれるオフ状態の画素の画素値に基づいて、第２の下地値を検出する（ステップＳ４）。具体的には説明すると、画像処理部１６は、まずＣｂＣｒ成分の画像データに含まれるオフ状態の画素の画素値を用いて、Ｃｂ成分のヒストグラムＨｃｂと、Ｃｒ成分のヒストグラムＨｃｒとを作成する。図５（ａ）は、このときに作成されるヒストグラムＨｃｂの一例を示す図であり、図５（ｂ）は、このときに作成されるヒストグラムＨｃｒの一例を示す図である。図５（ａ）に示すように、ヒストグラムＨｃｂにおいては、画素値ｋ２部分にピークがある。これは、原画像Ｐ０においては、下地領域ＢＧのＣｂ成分の画素値と黄色領域ＦｂのＣｂ成分の画素値とが、いずれも画素値ｋ２付近の値をとるからである。この場合、画像処理部１６は、この画素値ｋ２から予め決められた範囲をＣｂ成分の第２の下地値として検出する。つまり、Ｃｂ成分の第２の下地値は、範囲を有する値となる。また、図５（ｂ）に示すように、ヒストグラムＨｃｒにおいては、画素値ｋ３部分にピークがある。これは、原画像Ｐ０においては、最大の画素数を有する下地領域ＢＧのＣｒ成分の画素値が、画素値ｋ３付近の値をとるからである。この場合、画像処理部１６は、この画素値ｋ３から予め決められた範囲をＣｒ成分の第２の下地値として検出する。つまり、Ｃｒ成分の第２の下地値は、範囲を有する値となる。
【００２３】
続いて、画像処理部１６は、画像データのオフ状態の画素を第２の下地値で２値化する（図３のステップＳ５）。具体的には、画像処理部１６は、画像データのオフ状態の画素について、Ｃｂ成分の画素値がＣｂ成分の第２の下地値に含まれているか、Ｃｒ成分の画素値がＣｒ成分の第２の下地値に含まれているかを判定し、Ｃｂ成分の画素値がＣｂ成分の第２の下地値に含まれており、且つＣｒ成分の画素値がＣｒ成分の第２の下地値に含まれている場合にはその画素をオフにし、Ｃｂ成分の画素値又はＣｒ成分の画素値がそれ以外の値であればその画素をオンにする。この例では、図３に示す２値化画像Ｐ２のように、下地領域ＢＧの画素については、Ｃｂ成分の画素値がＣｂ成分の第２の下地値に含まれており、且つＣｒ成分の画素値がＣｒ成分の第２の下地値に含まれているためオフになり、黄色領域Ｆｂの画素については、Ｃｒ成分の画素値がＣｒ成分の第２の下地値に含まれていないためオンになる。続いて、画像処理部１６は、オフ状態の画素部分を画像の下地として判別する（ステップＳ６）。つまり、画像処理部１６は、上述したステップＳ４にて検出された第２の下地値を有する画素部分を画像の下地として判別する。この例では、２値化画像Ｐ２の下地領域ＢＧ部分が下地として判別される。
【００２４】
［変形例］
以上が実施形態の説明であるが、この実施形態の内容は以下のように変形し得る。また、以下の各変形例を適宜組み合わせてもよい。
（変形例１）
上述した下地検出処理では、ＹＣｂＣｒ成分の画像データが用いられていたが、これに代えてＲＧＢ成分の画像データが用いられてもよい。この場合、画像処理部１６は、画像データの色空間をＹＣｂＣｒ色空間に変換する必要はない。なお、画像処理部１６に入力される画像データがＲＧＢ色空間以外の色空間である場合には、画像処理部１６は、画像データの色空間をＲＧＢ色空間に変換すればよい。また、上述した第１の下地値の検出では、Ｙ成分の画像データに代えて、Ｇ成分の画像データが用いられる。これは、ＲＧＢ色空間においては、Ｇ成分が最も明度に近い色成分だからである。さらに、上述した第２の下地値の検出では、ＣｂＣｒ成分の画像データに代えて、ＲＢ成分の画像データが用いられる。
同様に、ＹＣｂＣｒ成分の画像データに代えて、Ｌ＊ａ＊ｂ＊成分の画像データが用いられてもよい。この場合、画像処理部１６は、ＲＧＢ成分の画像データの色空間をＬ＊ａ＊ｂ＊色空間に変換すればよい。
このように、画像処理部１６は、複数の色成分の画像データのうち予め決められた色成分の画像データに基づいて、上述した第１の下地値を検出し、複数の色成分の画像データのうち予め決められた色成分以外の色成分の画像データに基づいて、上述した第２の下地値を検出する。この予め決められた色成分としては、例えばＹＣｂＣｒ色空間におけるＹ成分やＲＧＢ色空間におけるＧ成分のように、明るさを表す色成分が用いられる。
【００２５】
（変形例２）
上述した下地検出処理では、第２の下地値の検出において、Ｃｂ成分の第２の下地値とＣｒ成分の第２の下地値とを両方とも検出していたが、いずれか一方だけを検出してもよい。また、さらに精度を上げたい場合には、ＣｂＣｒ成分のヒストグラムを作成し、そのヒストグラムのピーク部分を第２の下地値としてもよい。
【００２６】
（変形例３）
上述した下地検出処理において、画像処理部１６は、入力された画像データの解像度を低解像度に変換してもよい。つまり、この変形例では、画像処理部１６は解像度変換手段の一例として用いられる。この解像度の変換は、例えば単純間引きによって行われる。この場合、画像処理部１６は、例えば上述した第１の下地値の検出又は第２の下地値の検出のときだけ、低解像度の画像データを用いる。
また、画像処理部１６は、入力された画像データの解像度を中低解像度と、中低解像度よりも解像度が低い低解像度とに変換してもよい。この場合、画像処理部１６は、上述した第１の下地値の検出のときには中低解像度の画像データを用い、第２の下地値の検出のときには低解像度の画像データを用いる。
また、画像処理部１６は、画像データの解像度自体は変換せずに、ヒストグラムを作成するときに、画像データに含まれる一部の画素の画素値だけを用いるようにしてもよい。具体的には、例えば４画素中の１画素の画素値だけを用いてもヒストグラムを作成するといった方法が考えられる。
【００２７】
（変形例４）
上述した第１の下地値及び第２の下地値は、例えば「２４０」というように単一の値であってもよいし、「２２６〜２４０」というように、幅のある値であってもよい。つまり、本発明でいう「第１の画素値」，「第２の画素値」は、単一の値であってもよいし、範囲を有する値であってもよい。
【００２８】
（変形例５）
上述した下地検出処理では、Ｙ成分のヒストグラムのピーク部分を第１の下地値として検出していたが、第１の下地値を検出する手法はこれに限らない。例えば、特開平４−３７２５８号公報に記載されている技術を適用して、Ｙ成分の画像データの低濃度領域を互いに重なり合う複数の濃度領域に分けて、各濃度領域のヒストグラムを作成し、基準の度数（出現頻度）以上の濃度領域のうち最も高濃度側の濃度領域の画素値の範囲を第１の下地値として検出してもよい。つまり、画像処理部１６は、Ｙ成分の画像データに基づいて、その画像データに含まれる各画素の画素値において予め決められた第１の下地色条件を満たす第１の画素値を検出し、第１の下地値として使用すればよい。
また、上述した下地検出処理では、Ｃｂ成分，Ｃｒ成分のヒストグラムのピーク部分を第２の下地値として検出していたが、第２の下地値を検出する手法はこれに限らない。例えば、上述した実施形態のように輝度色差系の色空間によって表現される画像データを用いる場合には、グレー軸に近い（彩度が低い）予め決められた範囲において、出現頻度が最大となる画素値の範囲を第２の下地値として検出してもよい。あるいは、ＲＧＢ系の色空間によって表現される画像データを用いる場合には、上述した特開平４−３７２５８号公報に記載されている技術を適用して第２の下地値を検出してもよい。つまり、画像処理部１６は、ＣｂＣｒ成分の画像データに基づいて、その画像データに含まれるオフ状態の画素の画素値において予め決められた第２の下地色条件を満たす第２の画素値を検出し、第２の下地値として使用すればよい。
【００２９】
（変形例６）
上述した実施形態では、画像処理部１６が画像形成装置１に設けられている構成を例に挙げて説明したが、画像処理部１６が他の装置に設けられてもよい。例えば、画像処理部１６が上述した画像読取部１５と同等の機能を備える画像読取装置に設けられていてもよい。また、画像処理部１６が、単体の装置である画像処理装置として特定されてもよい。
【００３０】
（変形例７）
上述した実施形態において、画像処理部１６にて行なわれる処理は、単一又は複数のハードウェア資源によって実現されてもよいし、ＣＰＵが１又は複数のプログラムを実行することにより実現されてもよい。また、このプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、プログラムを、インターネットなどの通信回線経由でダウンロードさせることも可能である。
【符号の説明】
【００３１】
１…画像形成装置、１１…制御部、１２…通信部、１３…記憶部、１４…表示操作部、１５…画像読取部、１６…画像処理部、１７…画像形成部、１０１…色空間変換部、１０２…第１の画素値検出部、１０３…画素判別部、１０４…第２の画素値検出部、１０５…下地判別部。
【図１】
2010187270.tif 000003
【図２】
2010187270.tif 000004
【図３】
2010187270.tif 000005
【図４】
2010187270.tif 000006
【図５】
2010187270.tif 000007